(57)【要約】【課題】  長期間にわたってチップ層の剥れや図柄の褪色がなく、精密な型は不用であるから費用も低減できるのに対し、細かい図柄を表すことが可能であるし、製造効率に優れている。【解決手段】基板２の上面２Ａに輪郭線３Ａで下絵３を表し、輪郭線３Ａに沿って複数本の係止ピン１１を適宜の間隔で立設する。係止ピン１１に紐状枠材２１Ａを係着することにより型枠２１を形成し、成形型内で該型枠２１の内側及び外側の基板２上にバインダーを混合したゴムチップを充填し、プレス型で加圧しながら加熱することにより、該チップを紐状枠材２１Ａと一体に固形化してチップ層３１、３１により図柄を形成する。【選択図】  図１
2006175834.tif 000002
【特許請求の範囲】
【請求項１】
基板の上面に下絵を表すように複数本の係止ピンを該基板に適宜の間隔で立設し、該係止ピンに紐状枠材を係着することにより型枠を形成し、成形型内で該型枠の内側及び外側にバインダーを混合したチップを充填し、上型で加圧しながら加熱することにより、該チップを前記紐状枠材と一体に固形化してチップ層からなる図柄を形成してなるチップパネルの製造方法。
【請求項２】
前記係止ピンは、前記基板に交換可能に設けてあることを特徴とする請求項１記載のチップパネルの製造方法。
【請求項３】
前記係止ピンは、前記基板に一体に成形してあることを特徴とする請求項１記載のチップパネルの製造方法。
【請求項４】
前記チップ及び紐状枠体は、同じ弾性材であることを特徴とする請求項１記載のチップパネルの製造方法。
【請求項５】
前記チップは、多孔質であることを特徴とする請求項１記載のチップパネルの製造方法。
【請求項６】
前記基板の上面に輪郭線によって下絵を表し、前記係止ピンは該輪郭線に沿って立設するようにしたことを特徴とする請求項１記載のチップパネルの製造方法。
【発明の詳細な説明】
【技術分野】
【０００１】
本発明は、例えば遊歩道、幼稚園の遊び場、庭の歩行路等に敷設したり、建造物の壁等に貼り付けて使用することのできるチップパネルの製造方法に関する。
【背景技術】
【０００２】
近年、歩行者の足に掛る衝撃を軽減したり、幼児の転倒時の怪我を防止する目的と、産業廃棄物の再利用を図る為に廃タイヤを破砕したゴムチップを遊歩道等に敷設することが行われている。この場合、路盤にバインダーを混ぜたゴムチップを層状に展延しただけでは、ゴムチップ層が路盤から剥れてしまうと言う問題がある。また、遊歩道や遊び場に図柄や標識を表したいという必要性や要望があるが、塗料でチップ層に直接描いただけでは、歩行者や自転車、自動車等の通行によって次第に剥れてしまうという欠点があり、数年毎に再塗装が必要であるという欠点がある。
【０００３】
そこで、耐久性を持たせる方法として、所望の色のゴムチップにバインダーを混合したものを型枠に充填して押し型で圧縮しながら加熱して硬化させて凹部を成形し、成形した凹部を囲むように治具を配置してその中に他の色のゴムチップを充填して押し型で加圧しながら加熱して硬化させるようにしたゴム製複色弾性舗装材の製造方法が提案されている（特許文献１）。また、路盤上に描いた図柄の輪郭に沿って軟質の紐状部材を両面粘着テープで固定して仮の輪郭部を形成し、輪郭部内にゴムチップにバインダーを混合したものを充填し、紐状部材を取り外して形成された空隙に他の色のゴムチップを充填して全体を加圧しながら加熱して硬化成型する舗装面装飾工法が提案されている（特許文献２）。
【特許文献１】特許第３２９９００７号公報
【特許文献２】特許第３１２２７４０号公報
【発明の開示】
【発明が解決しようとする課題】
【０００４】
上述した特許文献１の製造方法では、加圧加熱工程が２回必要で製造時間が長く掛るという欠点、精密な上、下型と治具が必要でそのための費用が嵩むという欠点、殊に細かな図柄を表す場合は更に精密な型を必要であるために費用と工数が増すという欠点、一次加圧形成工程で強制的に凹部を形成することから底部側や角隅部のゴムチップの密度が高くなり、透水性や弾性にバラツキが出るという欠点がある。
【０００５】
また、特許文献２の製造方法では、工程が多いために施工に時間を要するという欠点、路盤上に描く図柄のバラツキとそれに伴う仮の輪郭部材の不揃いがあるため、同じ図柄のゴムチップマットを大量に製作することは不可能であるという欠点、仮の輪郭部材はバインダーや両面粘着テープの粘着剤が付着するし、剥すときに変形するために再利用ができないという欠点、また輪郭部材を取り外す際に、或いは空隙にゴムチップを充填する際に先に充填してあるゴムチップが型崩れするという欠点がある。
【０００６】
本発明は上述した従来技術の諸欠点に鑑みなされたもので、長期間にわたってチップ層の剥れや図柄の退色がなく、精密な型は不用であるからそのための費用も低減できるのに対し、細かい図柄も表すことが可能であり、しかも製造工程も少ないので製造効率に優れているチップパネルの製造方法を提供することを目的とする。
【課題を解決するための手段】
【０００７】
上述した課題を解決するために構成した本発明の手段は、基板の上面に下絵を表すように複数本の係止ピンを該基板に適宜の間隔で立設し、該係止ピンに紐状枠材を係着することにより型枠を形成し、成形型内で該型枠の内側及び外側の基板上にバインダーを混合したチップを充填し、上型で加圧しながら加熱することにより、該チップを前記紐状枠材と一体に固形化してチップ層からなる図柄を形成する方法からなる。
【０００８】
また、前記係止ピンは、前記基板に交換可能に設けるとよい。
【０００９】
更に、前記係止ピンは、前記基板に一体に成形してもよい。
【００１０】
また、前記チップ及び紐状枠体は、同じ弾性材にするとよい。
【００１１】
また、前記チップは、多孔質であるとよい。
【００１２】
また、前記基板の上面に輪郭線によって下絵を表し、前記係止ピンは該輪郭線に沿って立設するようにするとよい。
【発明の効果】
【００１３】
本発明は上述の構成にしたから、下記の諸効果を奏する。
（１）基板上で紐状枠材とチップを一体に加圧し加熱して固形化させてあるから、図柄を表すチップ層が剥れたり浮いたりすることなく長期間にわたって使用することのできる耐久性に優れている。
（２）基板上に立設した係止ピンを介して紐状枠材により型枠を形成するから、精密な型は不用であり、そのための費用も低減できる。
（３）紐状枠材は係止ピンによって基板上に固定するから、細かい図柄も表することが可能であり、チップパネル作製上の自由度がある。
（４）加圧して加熱する工程は１回で足りるから、製造効率に優れている。
（５）係止ピンは、基板に交換可能に設けることにより、チップマットの一部が何らかの理由により折れる等の損傷を受けた場合にも補修することが可能である。
（６）係止ピンは、基板に一体に成形することにより、工数を少なくできるし、同一規格のチップパネルを製造することができる。
（７）チップ及び紐状枠体は、同じ弾性材にすることにより、歩行者が感触の違いから歩行中に躓いたりする事態を防止できる。
（８）チップは、多孔質であることにより、チップパネルは吸水性或いは透水性を有するから、水溜りができ難いし、歩行者のスリップ事故を防止することができる。
（９）基板の上面に輪郭線によって下絵を表し、係止ピンは該輪郭線に沿って立設するようにしたから、係止ピンの立設作業を効率よく行うことができるし、間違った形状の型枠を形成することがない。
【発明を実施するための最良の形態】
【００１４】
以下、本発明の実施の形態を図面に基づき詳述する。図１乃至図３において、１は星型の図柄１Ａを表したチップパネルを示し、該チップパネル１は基板２と、該基板２の上面２Ａに輪郭線３Ａで表した下絵３と、輪郭線３Ａに沿って適宜の間隔で立設した複数本の係止ピン１１、１１、・・・と、該係止ピン１１に紐状枠材２１Ａを係合して形成した型枠２１と、該型枠２１内に充填して固化することにより図柄１Ａを表したチップ層３１とから構成してある。
【００１５】
次に、上述したチップパネル１の製造方法について説明する。２はチップパネル１を構成する基板で、該基板２は上面２Ａが平坦面の正方形或いは長方形に形成した板体からなり、該基板２は例えば木製、合板製の平板からなっている。３は該基板２の上面２Ａに塗料、絵の具、白墨等の適宜の表現手段を用いて輪郭線３Ａで表した下絵で、該下絵３はチップパネル１の使用目的に応じて動物の略画、幾何学模様、風景等を選んで輪郭線３Ａにより描いてある。そして、基板２には輪郭線３Ａに沿って適宜の間隔でピン挿入孔４、４、・・・をドリル等の穿孔手段により形成する。また、基板２の上面２Ａには図柄１Ａに応じた色彩で予め着色しておくとよい。
【００１６】
１１、１１、・・・は、前記輪郭線３Ａに沿って基板２のピン挿入孔４、４、・・・に植設した金属製又は合成樹脂製の複数本の係止ピンを示す。該各係止ピン４は紐状枠材２１Ａを挿入し易いように、上端側１１Ａを先細りに形成してある。
【００１７】
下絵３の輪郭線３Ａに沿って係止ピン１１、１１、・・・を基板２に植設したら、該係止ピン１１、１１、・・・に紐状枠材２１Ａを基板２の上面２Ａに接するまで差し込み、図柄１Ａと同形の型枠２１を形成する。なお、輪郭線３Ａに沿って接着剤を帯状に塗布しておいてもよい。紐状枠材２１Ａにはゴム、軟質合成樹脂等種々の弾性材を用いることができるが、本実施の形態では廃タイヤを裁断して断面四角形の長尺の紐状に形成したものを用いている。また、紐状枠材２１Ａの高さと係止ピン１１の長さは、紐状枠材２１Ａは磨耗するものであることも考慮し、係止ピン１１に対して約２倍の高さを有するように決めるとよい。
【００１８】
基板２上に型枠２１を形成したら、この基板２を加熱式のプレス機Ａの雌型Ａ１内にセットし、型枠２１内に熱硬化性の弾性樹脂、例えばウレタン系接着剤等のバインダーを混合したゴムチップ３１Ａ、３１Ａ、・・・を充填する。ここで、ゴムチップ３１Ａには型枠２１を形成する紐状枠材２１Ａと同じ素材の廃タイヤを裁断してチップ状に成形したものを用いている。
【００１９】
また、ゴムチップ３１Ａ以外に他色のゴムチップ３１Ｂを用意しておき、型枠２１外側の空所には他色のゴムチップ３１Ｂを充填する。この際、下絵を図柄１Ａの色彩に合わせた色に着色しておくことにより、ゴムチップ３１Ａ、３１Ｂを充填する際に、色間違いをすることなく、速やかに複数色のゴムチップ３１Ａ、３１Ｂを充填することができる。
【００２０】
しかる後、雌型Ａ１に上方からプレス型Ａ２を挿入してゴムチップ３１Ａ、３１Ｂを加圧しながら加熱し、バインダーを硬化させてゴムチップ３１Ａ、３１Ｂをパネル状のチップ層３１に成形する。そして、冷却後雌型Ａ１から取出すことにより、チップパネル１を製造することができる。
【００２１】
上述の如く製造したチップパネル１は、弾性を有しているから例えば遊歩道、校庭、私道、庭等の適宜の場所に敷設して使用した場合には、歩行者に与える衝撃が少ないので好適である。
【００２２】
また、チップパネル１の図柄１Ａは、紐状枠材２１Ａによって形成した型枠２１によってその輪郭が型崩れすることなく明瞭に表れており、仕上がりのよいチップパネル１に製造できる。
【００２３】
図４乃至図７はチップパネル１の成型工程を示す。先ず、図４に示すように、型枠２１を形成した基板２を雌型Ａ１内にセットし、型枠２１内に所望の色のゴムチップ３１Ａを充填する（図５参照）。この際、型枠２１の内面と外面に接着剤を塗布しておいてもよい。型枠２１とチップ層３１はバインダーによって接着するが、更に接着剤を塗布することにより、型枠２１とチップ層３１をより強固に接着することができる。
【００２４】
次に、図６に示すように、型枠２１以外の空所に他色の背景用ゴムチップ３１Ｂを充填し、図７に示すように、雌型Ａ１にプレス型Ａ２を嵌合して上方から加圧し、電熱や蒸気により加熱してバインダーを硬化させることにより、チップパネル１を製造することができる。このように、本実施の製造方法によれば、加圧と加熱の工程は１回でよいから、製造時間は極めてが短いという利点がある。
【００２５】
図８及び図９は、基板に係止ピンを立設する形態の変形例を示す。図８は金属製の基板４１にピン挿入穴４２を穿設し、該ピン挿入穴４２に挿入して起立させた金属製の係止ピン４３を基板４１の下面側で溶接したものからなる。この形態によれば、基板４１に対して係止ピン４３を強固に立設することができる。
【００２６】
図９は第２の変形例を示し、基板４６をねじ４７、４７、・・で固着する下板体４６Ａと上板体４６Ｂの２枚から構成し、上板体４６Ｂに座付きピン挿入穴４８を穿設し、該ピン挿入穴４８に下端に鍔を有する係止ピン４９を挿通して立設した形態からなる。この変形例によれば、係止ピン４９が磨耗したり、折れたりした場合に、交換することができる。なお、これら変形例に示すように、係止ピン４３、４７の先端側は尖った形状に形成していないが、ゴムチップの材質によって適宜の形状を選択することができる。
【００２７】
なお、実施の形態で遊歩道等に敷設するチップパネル１を例に挙げ、弾性のあるゴムチップ３１Ａ、３１Ｂでチップ層３１を形成する構成にしたが、壁パネルを製造する場合は、チップ層に弾性は不用であるから、弾性のない素材を用いてもよいものである。
【図面の簡単な説明】
【００２８】
【図１】本発明の実施の形態に係るチップパネルの斜視図である。
【図２】基板に表した図柄の輪郭線に沿って係止ピンを立設する工程を示す説明図である。
【図３】基板上に紐状枠材で型枠を形成した工程を示す説明図である。
【図４】図４乃至図７は製造工程を示し、図４は雌型に型枠を設けた基板をセットした状態の説明図である。
【図５】型枠にゴムチップを充填する工程の説明図である。
【図６】型枠以外の空所にゴムチップを充填する工程の説明図である。
【図７】雌型に雄型を嵌合して加圧し、加熱する工程の説明図である。
【図８】基板に係止ピンを立設する変形例の断面図である。
【図９】基板に係止ピンを立設する他の変形例を示す断面図である。
【符号の説明】
【００２９】
１          チップパネル
１Ａ        図柄
２、４１      基板
２Ａ        上面
３          下絵
３Ａ        輪郭線
１１、４３，４９    係止ピン
２１        型枠
２１Ａ      紐状枠材
３１        チップ層
３１Ａ      ゴムチップ
Ａ          成形型
Ａ１        雌型
Ａ２        プレス型
【図１】
2006175834.tif 000003
【図２】
2006175834.tif 000004
【図３】
2006175834.tif 000005
【図４】
2006175834.tif 000006
【図５】
2006175834.tif 000007
【図６】
2006175834.tif 000008
【図７】
2006175834.tif 000009
【図８】
2006175834.tif 000010
【図９】
2006175834.tif 000011